(57)【特許請求の範囲】
【請求項１】
光の反射率が所定の反射率よりも高い表示面を有する第１画素と、
前記第１画素よりも光の反射率が低い表示面を有する第２画素と、を備え、
前記第１画素と前記第２画素とは、主走査方向に向かって連続して配置されて画素行を構成し、かつ副走査方向に交互に配置され、
同じ画素行を構成する複数の画素は、それぞれ同じ走査信号線から入力される走査信号に従って点灯する、
ことを特徴とする表示パネル。
【請求項２】
前記第１画素で構成された第１画素行と、前記第２画素で構成された第２画素行とのいずれを点灯させるかを選択する選択信号と前記走査信号との論理積を表す信号を出力する第１論理回路と、
前記選択信号の論理否定と前記走査信号との論理積を表す信号を出力する第２論理回路と、をさらに備え、
前記第１画素行は、前記第１論理回路から出力される信号に従って点灯し、
前記第２画素行は、前記第２論理回路から出力される信号に従って点灯する、
ことを特徴とする請求項１に記載の表示パネル。
【請求項３】
光の反射率が所定の反射率よりも高い表示面を有する第１画素と、
前記第１画素よりも光の反射率が低い表示面を有する第２画素と、を備え、
前記第１画素と前記第２画素とは、副走査方向に向かって連続して配置されて画素列を構成し、かつ主走査方向に交互に配置され、
同じ画素列を構成する複数の画素は、それぞれ同じ表示信号線から入力される表示信号の値と、同じ共通信号線から入力される共通信号の値と、の差異に従って点灯する、
ことを特徴とする表示パネル。
【請求項４】
光の反射率が所定の反射率よりも高い表示面を有する第１画素と、前記第１画素よりも光の反射率が低い表示面を有する第２画素とで構成される表示パネルと、
前記表示パネルの画素を点灯させる駆動回路と、
前記駆動回路の駆動を制御する制御装置と、を備える表示装置であって、
前記第１画素と前記第２画素とは、主走査方向に向かって連続して配置されて画素行を構成し、かつ副走査方向に交互に配置され、
同じ画素行を構成する複数の画素は、それぞれ同じ走査信号線から入力される走査信号に従って点灯し、
前記制御装置は、前記第１画素の画素行と、前記第２画素の画素行とのいずれを点灯させるかを選択し、選択した画素行を点灯させるように前記駆動回路の走査信号の出力を制御する、
ことを特徴とする表示装置。
【請求項５】
光の反射率が所定の反射率よりも高い表示面を有する第１画素と、前記第１画素よりも光の反射率が低い表示面を有する第２画素とで構成される表示パネルと、
前記表示パネルの画素を点灯させる駆動回路と、
前記駆動回路の駆動を制御する制御装置と、を備える表示装置であって、
前記第１画素と前記第２画素とは、副走査方向に向かって連続して配置されて画素列を構成し、かつ主走査方向に交互に配置され、
同じ画素列を構成する複数の画素は、それぞれ同じ表示信号線から入力される表示信号の値と、同じ共通信号線から入力される共通信号の値と、の差異に従って点灯し、
前記制御装置は、前記第１画素の画素列と、前記第２画素の画素列とのいずれを点灯させるかを選択し、選択した画素列を点灯させるように前記駆動回路の表示信号の出力と共通信号の出力とを制御する、
ことを特徴とする表示装置。
【請求項６】
前記表示パネルに照射される光の照度を検出する照度センサを、さらに備え、
前記制御装置は、前記照度センサが検出した光の照度が所定の照度よりも高い場合に、前記第１画素よりも光の反射率が低い表示面を有する前記第２画素を点灯させるように前記駆動回路を制御し、前記照度センサが検出した照度が前記所定の照度よりも低い場合に、前記第２画素よりも光の反射率が高い表示面を有する前記第１画素を点灯させるように前記駆動回路を制御する、
ことを特徴とする請求項４又は５に記載の表示装置。
【請求項７】
前記第１画素を点灯させる第１モードと、前記第２画素を点灯させる第２モードとのいずれか１方に切り替える操作に応じた操作信号を入力する操作部を、さらに備え、
前記制御装置は、前記操作部によって入力された切替信号に従って画素を点灯させるように前記駆動回路を制御する、
ことを特徴とする請求項４又は５に記載の表示装置。
【請求項８】
光の反射率が所定の反射率よりも高い表示面を有する第１画素と、前記第１画素よりも光の反射率が低い表示面を有する第２画素とで構成される表示パネルと、
前記表示パネルの画素を点灯させる駆動回路と、
前記駆動回路の駆動を制御する制御装置と、
前記表示パネルに照射される光の照度を検出する照度センサと、を備える表示装置であって、
前記制御装置は、前記照度センサが検出した光の照度が所定の照度よりも高い場合に、前記第２画素を点灯させるように前記駆動回路を制御し、前記照度センサが検出した照度が前記所定の照度よりも低い場合に、前記第１画素を点灯させるように前記駆動回路を制御する、
ことを特徴とする表示装置。
【請求項９】
光の反射率が所定の反射率よりも高い表示面を有する第１画素と、前記第１画素よりも光の反射率が低い表示面を有する第２画素とで構成される表示パネルと、
前記表示パネルの画素を点灯させる駆動回路と、
前記駆動回路の駆動を制御する制御装置と、
前記第１画素を点灯させる第１モードと、前記第２画素を点灯させる第２モードとのいずれか１方に切り替える操作に応じた操作信号を入力する操作部と、を備える表示装置であって、
前記制御装置は、前記操作部によって入力された切替信号に従って画素を点灯させるように前記駆動回路を制御する、
ことを特徴とする表示装置。
【発明の詳細な説明】
【技術分野】
【０００１】
本発明は、表示パネル及び表示装置に関する。
【背景技術】
【０００２】
特許文献１には、光の反射率が高いグレア処理の施された表示パネルと、光の反射率が低いノングレア処理が施された表示パネルとをユーザによって択一的に挿入されると共に、挿入された表示パネルに対して所定の情報を表示させる表示装置が開示されている。
【先行技術文献】
【特許文献】
【０００３】
【特許文献１】実開平０５−２２４５号公報
【発明の概要】
【発明が解決しようとする課題】
【０００４】
ここで、特許文献１に開示された技術では、ユーザが異なる表面処理の施された複数の表示パネルを有しなければ、光の反射率が異なる表示面に情報を表示させることができない。このため、表示装置が設置された場所の明るさによっては、表示パネルに表示される情報の視認性が向上しないという問題があった。
【０００５】
そこで、本発明は、このような点に鑑み、その目的とするところは、１つの表示パネルで光の反射率が異なる表示を選択的に行うことにある。
【課題を解決するための手段】
【０００６】
上記目的を達成するため、本発明の第１の観点に係る表示パネルは、
光の反射率が所定の反射率よりも高い表示面を有する第１画素と、
前記第１画素よりも光の反射率が低い表示面を有する第２画素と、を備え、
前記第１画素と前記第２画素とは、主走査方向に向かって連続して配置されて画素行を構成し、かつ副走査方向に交互に配置され、
同じ画素行を構成する複数の画素は、それぞれ同じ走査信号線から入力される走査信号に従って点灯する、
ことを特徴とする。
【０００７】
本発明の第２の観点に係る表示パネルは、
光の反射率が所定の反射率よりも高い表示面を有する第１画素と、
前記第１画素よりも光の反射率が低い表示面を有する第２画素と、を備え、
前記第１画素と前記第２画素とは、副走査方向に向かって連続して配置されて画素列を構成し、かつ主走査方向に交互に配置され、
同じ画素列を構成する複数の画素は、それぞれ同じ表示信号線から入力される表示信号の値と、同じ共通信号線から入力される共通信号の値と、の差異に従って点灯する、
ことを特徴とする。
【０００８】
本発明の第３の観点に係る表示装置は、
光の反射率が所定の反射率よりも高い表示面を有する第１画素と、前記第１画素よりも光の反射率が低い表示面を有する第２画素とで構成される表示パネルと、
前記表示パネルの画素を点灯させる駆動回路と、
前記駆動回路の駆動を制御する制御装置と、を備える表示装置であって、
前記第１画素と前記第２画素とは、主走査方向に向かって連続して配置されて画素行を構成し、かつ副走査方向に交互に配置され、
同じ画素行を構成する複数の画素は、それぞれ同じ走査信号線から入力される走査信号に従って点灯し、
前記制御装置は、前記第１画素の画素行と、前記第２画素の画素行とのいずれを点灯させるかを選択し、選択した画素行を点灯させるように前記駆動回路の走査信号の出力を制御する、
ことを特徴とする。
【０００９】
本発明の第４の観点に係る表示装置は、
光の反射率が所定の反射率よりも高い表示面を有する第１画素と、前記第１画素よりも光の反射率が低い表示面を有する第２画素とで構成される表示パネルと、
前記表示パネルの画素を点灯させる駆動回路と、
前記駆動回路の駆動を制御する制御装置と、を備える表示装置であって、
前記第１画素と前記第２画素とは、副走査方向に向かって連続して配置されて画素列を構成し、かつ主走査方向に交互に配置され、
同じ画素列を構成する複数の画素は、それぞれ同じ表示信号線から入力される表示信号の値と、同じ共通信号線から入力される共通信号の値と、の差異に従って点灯し、
前記制御装置は、前記第１画素の画素列と、前記第２画素の画素列とのいずれを点灯させるかを選択し、選択した画素列を点灯させるように前記駆動回路の表示信号の出力と共通信号の出力とを制御する、
ことを特徴とする。
本発明の第５の観点に係る表示装置は、
光の反射率が所定の反射率よりも高い表示面を有する第１画素と、前記第１画素よりも光の反射率が低い表示面を有する第２画素とで構成される表示パネルと、
前記表示パネルの画素を点灯させる駆動回路と、
前記駆動回路の駆動を制御する制御装置と、
前記表示パネルに照射される光の照度を検出する照度センサと、を備える表示装置であって、
前記制御装置は、前記照度センサが検出した光の照度が所定の照度よりも高い場合に、前記第２画素を点灯させるように前記駆動回路を制御し、前記照度センサが検出した照度が前記所定の照度よりも低い場合に、前記第１画素を点灯させるように前記駆動回路を制御する、
ことを特徴とする。
本発明の第６の観点に係る表示装置は、
光の反射率が所定の反射率よりも高い表示面を有する第１画素と、前記第１画素よりも光の反射率が低い表示面を有する第２画素とで構成される表示パネルと、
前記表示パネルの画素を点灯させる駆動回路と、
前記駆動回路の駆動を制御する制御装置と、
前記第１画素を点灯させる第１モードと、前記第２画素を点灯させる第２モードとのいずれか１方に切り替える操作に応じた操作信号を入力する操作部と、を備える表示装置であって、
前記制御装置は、前記操作部によって入力された切替信号に従って画素を点灯させるように前記駆動回路を制御する、
ことを特徴とする。
【発明の効果】
【００１０】
本発明によれば、１つの表示パネルで光の反射率が異なる表示を選択的に行うことができる。
【図面の簡単な説明】
【００１１】
【図１】図１（ａ）は、本発明に係る表示装置の一例を表す正面図である。図１（ｂ）は、実施形態１に係る光学シートの一例を表す図である。
【図２】図２（ａ）は、実施形態１に係る表示装置の回路構成の一例を表す回路図である。図２（ｂ）は、制御装置のハードウェア構成の一例を表すハードウェア構成図である。図２（ｃ）は、制御装置が有する機能の一例を表す機能ブロック図である。
【図３】図３は、実施形態１に係る表示パネルの回路構成の一例を表す回路図である。
【図４】図４（ａ）は、表示パネルを構成する画素の一例を表す断面図である。図４（ｂ）は、画素の回路構成の一例を表す回路図である。
【図５】図５（ａ）は、グレアモードにおいて実施形態１の走査信号出力回路に入力される垂直制御信号の一例を表す図である。図５（ｂ）は、グレアモードにおいて実施形態１の走査信号出力回路に入力される選択信号の一例を表す図である。図５（ｃ）は、図５（ａ）及び図５（ｂ）の信号が入力された実施形態１の走査信号出力回路から走査信号線Ｇ１へ出力される走査信号の一例を表す図である。図５（ｄ）は、図５（ａ）及び図５（ｂ）の信号が入力された実施形態１の走査信号出力回路から走査信号線Ｇ２へ出力される走査信号の一例を表す図である。図５（ｅ）は、アンチグレアモードにおいて実施形態１の走査信号出力回路に入力される垂直制御信号の一例を表す図である。図５（ｆ）は、アンチグレアモードにおいて実施形態１の走査信号出力回路に入力される選択信号の一例を表す図である。図５（ｇ）は、図５（ｅ）及び図５（ｆ）の信号が入力された実施形態１の走査信号出力回路から走査信号線Ｇ１へ出力される走査信号の一例を表す図である。図５（ｈ）は、図５（ｅ）及び図５（ｆ）の信号が入力された実施形態１の走査信号出力回路から走査信号線Ｇ２へ出力される走査信号の一例を表す図である。
【図６】図６は、制御装置が実行するモード切替処理の一例を表すフローチャートである。
【図７】図７（ａ）は、実施形態１の変形例２における光学フィルムの一例を表す図である。図７（ｂ）は、実施形態３の変形例１における光学フィルムの一例を表す図である。
【図８】図８は、実施形態２に係る表示装置の回路構成の一例を表す回路図である。
【図９】図９は、実施形態２に係る表示パネルの回路構成の一例を表す回路図である。
【図１０】図１０は、実施形態２に係る走査信号出力回路の回路構成の一例を表す回路図である。
【図１１】図１１（ａ）は、実施形態２の走査信号出力回路へ入力される選択信号の一例を表す図である。図１１（ｂ）は、実施形態２の走査信号出力回路へ入力される垂直制御信号の一例を表す図である。図１１（ｃ）は、実施形態２の走査信号出力回路へ入力されるクロック信号の一例を表す図である。図１１（ｄ）から（ｇ）は、図１１（ａ）から図１１（ｃ）の信号が入力された実施形態２の走査信号出力回路から走査信号線Ｇ１からＧ４へそれぞれ出力される走査信号の一例を表す図である。
【図１２】図１２は、実施形態２の変形例１に係る走査信号出力回路の回路構成の一例を表す回路図である。
【図１３】図１３は、実施形態３に係る表示装置の回路構成の一例を表す回路図である。
【図１４】図１４は、実施形態３に係る表示パネルの回路構成の一例を表す回路図である。
【図１５】図１５（ａ）は、グレアモードにおいて実施形態３の走査信号出力回路から走査信号線Ｇ１へ出力される走査信号の一例を表す図である。図１５（ｂ）は、グレアモードにおいて実施形態３の走査信号出力回路から走査信号線Ｇ２へ出力される走査信号の一例を表す図である。図１５（ｃ）は、グレアモードにおいて実施形態３の共通信号出力回路から出力される共通信号の一例を表す図である。図１５（ｄ）から（ｉ）は、図１５（ａ）から図１５（ｃ）の信号が入力された実施形態３の表示信号出力回路から表示信号線Ｓ１（Ｒ）、Ｓ２（Ｒ）、Ｓ３（Ｇ）、Ｓ４（Ｇ）、Ｓ５（Ｂ）、及びＳ６（Ｂ）へそれぞれ出力される表示信号の一例を表す図である。図１５（ｊ）は、アンチグレアモードにおいて実施形態３の走査信号出力回路から走査信号線Ｇ１へ出力される走査信号の一例を表す図である。図１５（ｋ）は、アンチグレアモードにおいて実施形態３の走査信号出力回路から走査信号線Ｇ２へ出力される走査信号の一例を表す図である。図１５（ｌ）は、アンチグレアモードにおいて実施形態３の共通信号出力回路から出力される共通信号の一例を表す図である。図１５（ｍ）から（ｒ）は、図１５（ｊ）から図１５（ｌ）の信号が入力された実施形態３の表示信号出力回路から表示信号線Ｓ１（Ｒ）、Ｓ２（Ｒ）、Ｓ３（Ｇ）、Ｓ４（Ｇ）、Ｓ５（Ｂ）、及びＳ６（Ｂ）へそれぞれ出力される表示信号の一例を表す図である。
【図１６】図１６は、実施形態４における光学フィルムの一例を表す図である。
【発明を実施するための形態】
【００１２】
以下、本発明の最良の実施形態について添付図面を参照しつつ説明する。
【００１３】
（実施形態１）
本発明の実施形態１に係る表示装置１００は、図１（ａ）に示すような照度センサ１８１で検出した光の照度が所定値よりも低い場合（つまり、暗い環境に設置された場合）に、表示パネル１１０のグレア処理が施されたグレア領域に情報を表示し、そうでない場合には、表示パネル１１０のアンチグレア処理が施されたアンチグレア領域に情報を表示する。
【００１４】
表示装置１００は、図２に示すように、表示パネル１１０、駆動回路１２０、バックライト１７０、照度センサ１８１、操作部１８２、及び制御装置１９０を備える。
【００１５】
表示パネル１１０は、図３に示すように、主走査方向に向かって連続して並べられ、かつ同じ走査信号線Ｇ１に接続する画素Ｅ１１からＥ１６で構成される画素行ＲＥ１、画素行ＲＥ１と同様の構成を有する画素行ＲＥ２からＲＥ４、及びアジャスタ回路ＣＡを備える。尚、表示パネル１１０が備える画素行の数、及び画素行を構成する画素の数は、これらに限定される訳ではない。
【００１６】
画素Ｅ１１からＥ４６の構成はそれぞれ同様であるため、以下、画素Ｅ１１について説明する。
画素Ｅ１１は、図４（ａ）に示すように、シール材１１１で互いに対向するように接着された透明基板１１２及び１１３を有し、シール材１１１、透明基板１１２及び１１３で画定される内部空間１１４には、液晶が封入されている。
【００１７】
透明基板１１２及び１１３には、それぞれ画素電極１１５ｌと共通電極１１５ｃとが設けられている。このため、画素電極１１５ｌと共通電極１１５ｃとの間に電圧差が生じると、生じた電圧差に応じて内部空間１１４に収められた液晶の配向状態が変化する。このため、光の液晶に対する透過率が変化し、透過率の変化した液晶がバックライト１７０から照射されたバックライト光を透過すると、画素Ｅ１１は点灯を行う。
【００１８】
尚、透明基板１１２と画素電極１１５ｌとの間には、カラーフィルタ１１７が設けられているため、画素Ｅ１１からＥ４６は、光の三原色であるＲＧＢ（Red Green Blue）の内１つの色で点灯を行う。また、画素Ｅ１１からＥ４６が表示する色の階調値は、バックライト光に対する液晶の透過率に依存して変化する。つまり、画素Ｅ１１などがそれぞれ有する画素電極１１５ｌと共通電極１１５ｃとの電圧差を変化させれば、画素Ｅ１１などが表示する色の階調値を変化させることができる。
【００１９】
画素Ｅ１１は、図４（ｂ）に示すようなＴＦＴ（Thin Film Transistor）１１６をさらに有する。ＴＦＴ１１６のゲート電極１１６ｇ、ソース電極１１６ｓ、及びドレイン電極１１６ｌは、それぞれ走査信号線Ｇ１、表示信号線Ｓ１、及び画素電極１１５ｌに接続している。また、共通電極１１５ｃは、共通信号線Ｃｏｍに接続している。
【００２０】
このため、走査信号線Ｇから所定の電位よりも高い電位（以下、値「H」という）の走査信号が出力されることで、ゲート電極１１６ｇに印加される電圧が、ゲートオフ電圧からゲートオン電圧に切り換わる。ゲート電極にゲートオン電圧が印加されることでＴＦＴ１１６がオン状態となると、画素電極１１５ｌの電圧は、表示信号線Ｓから出力される表示信号の値によって変化する。
【００２１】
また、共通電極１１５ｃの電圧は、画素が接続する共通信号線Ｃｏｍから出力される共通信号の値によって変化する。このため、画素Ｅ１１が接続する走査信号線Ｇ１の走査信号の値が上記所定の電位よりも低い場合（以下、値「L」という）、及び走査信号の値が値「H」であっても、画素Ｅ１１が接続する表示信号線Ｓ１の表示信号が、共通信号線Ｃｏｍから出力される共通信号の同相信号（以下、ＯＦＦデータという）である場合には、画素電極１１５ｌと共通電極１１５ｃとに電位差が十分に生じない。このため、液晶の配向状態が十分に変化せず、画素Ｅ１１は点灯しない。これに対して、走査信号線Ｇ１から値「H」の走査信号が出力され、かつ表示信号がＯＦＦデータでない場合（以下、点灯条件という）には、画素Ｅ１１が点灯する。
【００２２】
図３のアジャスタ回路ＣＡは、汎用の表示パネルの駆動回路から出力される走査信号を、本件実施形態に係る表示パネル１１０の駆動に適した走査信号に変換する回路である。
【００２３】
アジャスタ回路ＣＡは、走査信号線ｇ１からｇ２及びＧ１からＧ４、並びに論理回路ＬＣ１からＬＣ４を有する。
論理回路ＬＣ１は、駆動回路１２０に接続された走査信号線ｇ１と、制御装置１９０に接続された選択信号線ＳＥＬと、画素行ＲＥ１を構成する画素Ｅ１１からＥ１６のゲート電極のそれぞれに接続された走査信号線Ｇ１とに接続する。論理回路ＬＣ１は、走査信号線ｇ１から入力された走査信号の値と、選択信号線ＳＥＬから入力された選択信号の値との論理積を表す値の信号を走査信号線Ｇ１へ出力する。尚、選択信号は、画素行ＲＥ１及びＲＥ３（つまり、奇数行の画素行）と、画素行ＲＥ２及びＲＥ４（つまり、偶数行の画素行）のいずれを点灯させるかを択一的に選択する信号をいう。
【００２４】
つまり、論理回路ＬＣ１は、図５（ａ）から（ｃ）に示すように、走査信号線ｇ１の走査信号が値「H」である時刻ｔ１からｔ２までの期間に、選択信号線ＳＥＬから出力された選択信号が値「H」であると、値「H」の信号を走査信号線Ｇ１へ出力する。このため、選択信号が値「H」である期間において、走査信号線Ｇ１に接続する画素行ＲＥ１の画素は、上記の点灯条件を満たす表示信号及び共通信号が入力されると点灯を行う。
【００２５】
これに対して、論理回路ＬＣ１は、図５（ｅ）から（ｇ）に示すように、走査信号線ｇ１の走査信号が値「H」である時刻ｔ１からｔ２までの期間に、選択信号が値「L」であると、値「L」の信号を走査信号線Ｇ１へ出力する。このため、選択信号が値「L」である期間において、画素行ＲＥ１の画素は、上記の点灯条件を満たす表示信号及び共通信号が入力されても点灯を行わない。
【００２６】
図３の論理回路ＬＣ２は、走査信号線ｇ１と選択信号線ＳＥＬと画素行ＲＥ２を構成する画素Ｅ２１からＥ２６のゲート電極のそれぞれに接続された走査信号線Ｇ２とに接続する。論理回路ＬＣ２は、走査信号線ｇ１から入力された走査信号の値と、選択信号線ＳＥＬから入力された選択信号の論理否定値との論理積を表す信号を走査信号線Ｇ２へ出力する。
【００２７】
つまり、論理回路ＬＣ２は、図５（ａ）、（ｂ）、及び（ｄ）に示すように、走査信号線ｇ１の走査信号が値「H」である時刻ｔ１からｔ２までの期間に、選択信号が値「H」であると、値「L」の信号を走査信号線Ｇ２へ出力する。このため、走査信号線Ｇ２に接続する画素行ＲＥ２の画素は、画素行ＲＥ１の画素と異なり、選択信号が値「H」である期間において、上記の点灯条件を満たす表示信号及び共通信号が入力されても点灯を行わない。
【００２８】
これに対して、論理回路ＬＣ２は、図５（ｅ）、（ｆ）、及び（ｈ）に示すように、走査信号線ｇ１の走査信号が値「H」である時刻ｔ１からｔ２までの期間に、選択信号が値「L」であると、値「H」の信号を走査信号線Ｇ２へ出力する。このため、画素行ＲＥ２の画素は、画素行ＲＥ１の画素と異なり、選択信号が値「L」である期間において、上記の点灯条件を満たす表示信号及び共通信号が入力されると点灯を行う。
【００２９】
尚、論理回路ＬＣ３は、駆動回路１２０に接続された走査信号線ｇ２と選択信号線ＳＥＬと画素行ＲＥ３のゲート電極に接続された走査信号線Ｇ３とに接続し、論理回路ＬＣ１と同様の構成を有する。また、論理回路ＬＣ４は、駆動回路１２０に接続された走査信号線ｇ２と選択信号線ＳＥＬと画素行ＲＥ４のゲート電極に接続された走査信号線Ｇ４とに接続し、論理回路ＬＣ２と同様の構成を有する。
【００３０】
ここで、画素Ｅ１１からＥ４６が有する外側の透明基板１１２は、図４（ａ）に示すような透明板１１８で覆われている。外部から加えられる衝撃から画素Ｅ１１からＥ４６を保護するためである。また透明板１１８の外側表面は、図１（ｂ）に示すような光学フィルム１１９で覆われている。つまり、本明細書において、画素Ｅ１１は、画素Ｅ１１が有する液晶を透過したバックライト光をさらに透過する透明板１１８の一領域及び光学フィルム１１９の一領域をも含む。
【００３１】
光学フィルム１１９の表面は、領域Ｒ１１からＲ１６、Ｒ２１からＲ２６、Ｒ３１からＲ３６、及びＲ４１からＲ４６を有する。領域Ｒ１１からＲ４６は、それぞれ画素Ｅ１１からＥ４６に対応する位置に形成されている。つまり、領域Ｒ１１からＲ４６が、画素Ｅ１１からＥ４６それぞれの透過光が照射される位置と一致するように、光学フィルム１１９は、透明板１１８に接着されている。このため、光学フィルム１１９の領域Ｒ１１からＲ４６は、透明板１１８を介して画素Ｅ１１からＥ４６の透明基板１１２をそれぞれ覆う。
【００３２】
領域Ｒ１１からＲ１６及び領域３１からＲ３６は、それぞれグレア処理が施されたグレア領域であり、領域Ｒ２１からＲ２６及び領域Ｒ４１からＲ４６は、それぞれアンチグレア処理が施されたアンチグレア領域である。
【００３３】
また光学フィルム１１９の表面は、グレア領域行ＲＲ１及びＲＲ３、並びにアンチグレア領域行ＲＲ２及びＲＲ４で構成される。グレア領域行ＲＲ１及びＲＲ３は、グレア領域Ｒ１１からＲ１６及びＲ３１からＲ３６がそれぞれ主走査方向に連続して形成されている。同様に、アンチグレア領域行ＲＲ２及びＲＲ４は、アンチグレア領域Ｒ２１からＲ２６及びＲ４１からＲ４６がそれぞれ主走査方向に連続して形成されている。これらのグレア領域行とアンチグレア領域行は、光学フィルム１１９の全域に渡って（つまり、表示パネル１１０の表示面の全域にわたって）、副走査方向に１行間隔で交互に形成されている。
【００３４】
ここで、選択信号線ＳＥＬから値「H」の選択信号が出力される場合に、図２の駆動回路１２０によって走査信号線ｇ１及びｇ２に対して順に値「H」の走査信号が出力されると、画素行ＲＥ１の画素であって、上記の点灯条件を満たす表示信号及び共通信号が入力される画素、及び画素行ＲＥ３の画素であって上記の点灯条件を満たす信号が入力される画素が順に点灯する。
【００３５】
つまり、グレア領域行ＲＲ１の領域及びグレア領域行ＲＲ３の領域が順に点灯する。同様に、選択信号線ＳＥＬに値「L」の選択信号が表示パネル１１０に入力される場合には、アンチグレア領域行ＲＲ２の領域及びアンチグレア領域行ＲＲ４の領域が順に点灯する。
【００３６】
これらの構成によれば、光学フィルム１１９のグレア領域を構成する画素が点灯すれば、アンチグレア領域よりも光の反射率が高いグレア領域に情報を表示でき、光学フィルム１１９のアンチグレア領域を構成する画素が点灯すれば、光の反射率が低いアンチグレア領域に情報を表示できる。このため、１つの表示パネル１１０が有する光の反射率が異なる表示面に対して情報を選択的に表示させることができる。よって、例えば、表示装置１００の設置された場所が、グレア領域で生じる反射光によって、グレア領域で透過される光の視認性が妨げられる程に明るい場合には、アンチグレア領域を構成する画素を点灯させることで、反射光の発生を抑制しながらアンチグレア領域に情報を表示できるので、情報の視認性を向上させることができる。
【００３７】
またこれらの構成によれば、グレア領域とアンチグレア領域とは、表示パネル１１０の全域に渡って交互かつ均一に形成されているので、表示パネル１１０がグレア領域を構成する画素を点灯させることで情報を表示する状態（以下、グレアモードという）であっても、アンチグレア領域を構成する画素を点灯させることで情報を表示する状態（以下、アンチグレアモードという）であっても、光学フィルム１１９で覆われた表示パネル１１０の表示面の全域に渡って情報を表示できるため、情報の視認性が向上する。
【００３８】
さらにこれらの構成によれば、グレア領域とアンチグレア領域とは、主走査方向に連続して配置された画素で構成される画素行を構成し、かつ同じ画素行を構成する複数の画素は、それぞれ同じ走査信号線から出力される走査信号に従って点灯する。このため、表示パネル１１０を駆動させる図２の駆動回路１２０は、走査信号の出力先を、グレア領域を構成する画素行が接続する走査信号線と、アンチグレア領域を構成する画素行が接続する走査信号線とで切り替えることで、グレアモードとアンチグレアモードとの切り替えを容易に実行できる。
【００３９】
またこれらの構成によれば、走査信号を出力する図２の走査信号出力回路１２２が汎用的な表示パネルを駆動させる駆動回路の走査ドライバであっても、選択信号が表示パネル１１０に対して入力されさえすれば、グレア領域行を構成する画素行を点灯させるか、アンチグレア領域行を構成する画素行を点灯させるかを容易に制御できる。
【００４０】
図２の駆動回路１２０は、タイミングコントローラ１２１、走査信号出力回路１２２、表示信号出力回路１２３、及び共通信号出力回路１２４で構成される。
【００４１】
タイミングコントローラ１２１は、走査信号出力回路１２２、表示信号出力回路１２３、及び共通信号出力回路１２４に対して、それぞれが同期するために用いるクロック信号と、走査信号出力回路１２２が走査信号を出力するタイミングを定める垂直制御信号と、表示信号出力回路１２３が表示信号を出力するタイミングを定める水平制御信号とを出力する。また、タイミングコントローラ１２１は、制御装置１９０から出力された情報データを表示信号出力回路１２３へ出力する。
【００４２】
走査信号出力回路１２２は、汎用的な走査信号出力回路であり、タイミングコントローラ１２１から垂直制御信号を入力されると、走査信号線ｇ１及びｇ２に対して順に所定の期間に渡って値「H」の走査信号を出力する。
【００４３】
表示信号出力回路１２３は、タイミングコントローラ１２１から水平制御信号を入力されると、タイミングコントローラ１２１から入力された情報データに従った値の表示信号を、表示信号線Ｓ１からＳ６に対して順に所定の期間に渡って出力する。
【００４４】
共通信号出力回路１２４は、表示パネル１１０を長寿命化させるために、表示信号における電圧極性の変化と同期させてコモン信号（以下、共通信号という）を出力する。
【００４５】
このため、制御装置１９０が同じ情報データを表示信号出力回路１２３へ出力する場合には、選択信号が「H」である場合において点灯する奇数番号のグレア領域行の領域（たとえば、Ｒ１１）が表示する色と、選択信号が「L」である場合において、当該グレア領域よりも副走査方向に１つ進んだ位置にあるアンチグレア領域（たとえば、Ｒ２１）が表示する色とが同色かつ同階調になる。
【００４６】
このためこれらの構成によれば、値「H」の選択信号が表示パネル１１０へ入力されると、情報データで表される情報を表示パネル１１０の表示面の全域に所定の割合で形成されたグレア領域に表示させることができ、値「L」の選択信号が表示パネル１１０へ入力されると、同じ情報データで表される同じ情報を表示パネル１１０の表示面の全域に形成されたアンチグレア領域に表示させることができる。
【００４７】
バックライト１７０は、制御装置１９０に制御されて点灯し、表示パネル１１０の裏面に対して光を照射する。
【００４８】
照度センサ１８１は、図１（ａ）に示すように、表示装置１００の正面に設置されている。照度センサ１８１は、表示パネル１１０に照射される外光の照度を検出し、検出した照度を表す照度信号を制御装置１９０へ出力する。
【００４９】
操作部１８２は、図１（ａ）に示すように、表示装置１００の上面に設置されている。操作部１８２は、ユーザによってグレアモードと、アンチグレアモードと、オートモードとを切り替える操作を行われ、行われた操作に応じた操作信号を制御装置１９０へ出力する。尚、オートモードとは、照度センサ１８１が検出する照度に基づいて、表示装置１００がグレアモード又はアンチグレアモードに自動で切り替わる状態をいう。
【００５０】
制御装置１９０は、図２（ｂ）に示すようなマイクロコンピュータで構成される。制御装置１９０は、ＣＰＵ（Central Processing Unit）１９０ａ、ＲＡＭ（Random Access Memory）１９０ｂ、ＲＯＭ（Read Only Memory）１９０ｃ、及びＩ／Ｏ（Input / Output）ポートを有する。ＣＰＵ１９０ａは、ＲＯＭ１９０ｃが記憶するプログラムで表されるソフトウェア処理を実行することで、制御装置１９０の全体制御を行う。ＲＡＭ１９０ｂは、ＣＰＵ１９０ａがソフトウェア処理を実行する場合に、処理の対象とされるデータを一時的に記憶する。Ｉ／Ｏポートは、図２（ａ）の照度センサ１８１から出力された照度信号及び操作部１８２から出力された操作信号などをＣＰＵ１９０ａへ入力し、ＣＰＵ１９０ａから出力される信号を、表示パネル１１０、駆動回路１２０、及びバックライト１７０などへ出力する。
【００５１】
次に、ＣＰＵ１９０ａが実行するソフトウェア処理の一例について説明する。
ＣＰＵ１９０ａは、表示装置１００のモードをグレアモード又はアンチグレアモードへ切り替える、図６に示すようなモード切換処理を実行することで、図２（ｃ）に示すような信号取得部１９１、切替判定部１９２、及び表示切替制御部１９３として機能する。
【００５２】
先ず、ユーザが表示装置１００をグレアモードに切り替える操作を操作部１８２に対して行った場合に実行されるモード切換処理について説明する。
【００５３】
図６のモード切換処理が開始されると、図２（ｃ）の信号取得部１９１は、操作部１８２から操作信号を取得する（ステップＳ０１）。次に、切替判定部１９２は、取得した操作信号が、グレアモードへ切り替える操作に対応した信号であると判断する（ステップＳ０２；Ｙｅｓ）。その後、表示切替制御部１９３は、選択信号線ＳＥＬを介して値「H」の選択信号を駆動回路１２０へ出力した後に（ステップＳ０９）、ステップＳ０１に戻り上記処理を繰り返す。
【００５４】
その後、表示装置１００は、選択信号に従って、図１（ｂ）に示すグレア領域（つまり、領域Ｒ１１からＲ１４及びＲ３１からＲ３４）に情報を表示する。
【００５５】
次に、ユーザが表示装置１００をアンチグレアモードに切り替える操作を操作部１８２に対して行った場合に実行されるモード切換処理について説明する。
【００５６】
モード切換処理が開始されると、ステップＳ０１が実行される。その後に、切替判定部１９２は、ステップＳ０１で取得された操作信号が、グレアモードへ切り替える操作に対応した信号ではなく、アンチグレアモードへ切り替える操作に対応した信号であると判断する（ステップＳ０２；Ｎｏ及びステップＳ０３；Ｙｅｓ）。
【００５７】
その後、表示切替制御部１９３は、駆動回路１２０へ値「L」の選択信号を出力した後に（ステップＳ０７）、ステップＳ０１に戻り上記処理を繰り返す。その後、表示装置１００は、選択信号に従って、図１（ｂ）に示すアンチグレア領域（つまり、領域Ｒ２１からＲ２４及びＲ４１からＲ４４）に情報を表示する。
【００５８】
次に、ユーザが表示装置１００をオートモードに切り替える操作を操作部１８２に対して行った場合に実行されるモード切換処理について説明する。
【００５９】
モード切換処理が開始されると、ステップＳ０１からＳ０３が実行される。切替判定部１９２によって、操作信号がグレアモードへ切り替える操作に対応した信号でも、アンチグレアモードへ切り替える操作に対応した信号でもない（つまり、オートモードへ切り替える操作に対応した信号である）と判断されると（ステップＳ０２；Ｎｏ及びステップＳ０３；Ｎｏ）、信号取得部１９１は、照度センサ１８１から照度信号を取得する（ステップＳ０４）。次に、切替判定部１９２は、照度信号で表される照度が所定の照度閾値を超えているか否かを判断する（ステップＳ０５）。
【００６０】
その後、切替判定部１９２は、照度信号で表される照度が所定の照度閾値を超えていると判断すると（ステップＳ０５；Ｙｅｓ）、アンチグレアモードへ切り替えることが適当であると判定する（ステップＳ０６）。アンチグレア領域の方がグレア領域よりも外光を反射し難いためである。その後、表示切替制御部１９３は、駆動回路１２０へ値「L」の選択信号を出力した後に（ステップＳ０７）、ステップＳ０１に戻り上記処理を繰り返す。
【００６１】
また、切替判定部１９２は、照度信号で表される照度が所定の照度閾値を超えていないと判断すると（ステップＳ０５；Ｎｏ）、グレアモードへ切り替えることが適当であると判定する（ステップＳ０８）。グレア領域の方がアンチグレア領域よりも画素の点灯光を透過し易いためである。その後、表示切替制御部１９３は、駆動回路１２０へ値「H」の選択信号を出力した後に（ステップＳ０９）、ステップＳ０１に戻り上記処理を繰り返す。
【００６２】
これらの構成によれば、情報データで表される情報を、表示パネル１１０の全域に所定の割合で形成されたグレア領域に表示するか、同様に表示パネル１１０の全域に所定の割合で形成されたアンチグレア領域に表示するかを選択できる。よって、１つの表示パネル１１０が有する光の反射率が異なる表示面に対して情報を選択的に表示させることができる。
【００６３】
またこれらの構成によれば、表示パネル１１０に照射される外光の照度が所定の照度よりも強いために、表示パネル１１０で反射された外光が、表示パネル１１０に表示される情報の視認性を低下させる場合には、情報を反射率が低いアンチグレア領域に情報を表示するため、情報の視認性を向上させることができる。逆に、表示パネル１１０に照射される外光の照度が所定の照度よりも弱いために、表示パネル１１０に表示される情報が十分に視認される場合には、画素の点灯光に対する透過率が高いグレア領域に情報を表示するため、情報の視認性をさらに向上させることができる。アンチグレア処理を施された光学フィルム１１９の表面領域は、グレア処理の施された表面領域よりも光の反射率だけでなく透過率も低いためである。
【００６４】
またこれらの構成によれば、ユーザの切り替え操作に応じて、グレア領域に情報を表示するか、アンチグレア領域に情報を表示するかを切り替えることができるため、情報の視認性及び表示装置の利便性が向上する。
【００６５】
尚、本実施形態１において、表示パネル１１０は、ＴＦＴ液晶パネルであるとして説明したが、これに限定される訳ではなく、例えば、ＴＦＴなどのスイッチング素子を備えないパネルであってもよい。また、表示パネル１１０は、プラズマパネル、又はＥＬ（Electro Luminescence）パネルのような自発光パネルであっても良い。
【００６６】
（実施形態１の変形例１）
本実施形態において、光学フィルム１１９は、表面に形成された領域Ｒ１１からＲ４６の位置と、画素Ｅ１１からＥ４６の点灯光が照射される位置とがそれぞれ一致するように、透明板１１８に対して接着されるとして説明した。しかし、これに限定されるのではなく、表示パネル１１０は、透明板１１８を有さず、画素Ｅ１１からＥ４６がそれぞれ有する透明基板に光学フィルム１１９を直接接着しても良い。また、表示パネル１１０は、光学フィルム１１９を有さず、透明板１１８又は画素Ｅ１１からＥ４６を構成する透明基板１１２に対してシリカ粉末を塗布してアンチグレア処理を施しても良いし、レーザー加工などによって透明板１１８又は画素Ｅ１１からＥ４６を構成する透明基板１１２の表面に対して凹凸をつけても良い。この画素Ｅ１１からＥ４６を構成する透明基板１１２のそれぞれに対してグレア処理又はアンチグレア処理を施す構成によれば、光学フィルム１１９に形成された領域の位置と画素の位置とを合わせる必要がないため、グレアモード（又はアンチグレアモード）において点灯する画素の位置とグレア領域（又はアンチグレア領域）の位置とを容易かつ完全に一致させることができる。
【００６７】
（実施形態１の変形例２）
本実施形態において、図１（ｂ）に示すように、光学フィルム１１９の表面に形成されたグレア領域行とアンチグレア領域行とは、副走査方向に向かって１行毎に交互に形成されているとして説明した。しかし、これに限定される訳ではなく、図７（ａ）に示すように、光学フィルム１１９の表面は、グレア領域行ＲＲ１及びＲＲ２並びにＲＲ５及びＲＲ６と、アンチグレア領域行ＲＲ３及びＲＲ４並びにＲＲ７及びＲＲ８とが形成され、これらのグレア領域行とアンチグレア領域行とは、副走査方向に向かって複数行毎（図７（ａ）では２行毎）に交互に形成されていても良い。
【００６８】
この構成によれば、光学フィルム１１９の表面には、グレア領域行とアンチグレア領域行とが副走査方向に向かって２行毎に交互に形成されているため、光学フィルム１１９に形成された領域の位置と画素の位置とが副走査方向に最大１行分ずれても、少なくとも１つのグレア領域行（又はアンチグレア領域行の位置）と、グレアモード（又はアンチグレアモード）において点灯する画素行の位置とを一致させることができる。
【００６９】
（実施形態２）
次に、実施形態２について説明を行う。
本発明の実施形態２に係る表示装置２００は、汎用の表示パネルを実施形態１で説明した光学フィルム１１９で覆った表示パネル２１０を備える。
【００７０】
表示装置２００は、図８に示すような表示パネル２１０、駆動回路２２０、バックライト２７０、照度センサ２８１、操作部２８２、及び制御装置２９０で構成される。尚、本実施形態において、実施形態１と共通する構成についての説明を以下省略する。
【００７１】
表示パネル２１０は、図９に示すように、アジャスタ回路ＣＡを有しない点で実施形態１と異なる。表示パネル２１０を構成する画素行ＲＥ１の画素Ｅ１１からＥ１６のゲート電極は、それぞれ走査信号線Ｇ１に接続している。同様に、画素行ＲＥ２からＲＥ４は、走査信号線Ｇ２からＧ４にそれぞれ接続している。
【００７２】
図８の駆動回路２２０は、タイミングコントローラ２２１、走査信号出力回路２２２、表示信号出力回路２２３、及び共通信号出力回路２２４で構成される。
走査信号出力回路２２２は、制御装置２９０から値「H」の選択信号を入力された後に、タイミングコントローラ２２１から垂直制御信号を入力されると、走査信号線Ｇ１及びＧ３に対して順に走査信号を出力する。また、走査信号出力回路２２２は、制御装置２９０から値「L」の選択信号を入力された後に垂直制御信号を入力されると、走査信号線Ｇ２及びＧ４に対して順に走査信号を出力する。
【００７３】
走査信号出力回路２２２は、図１０に示すように、論理回路ＬＣ２ａ及びＬＣ２ｂ、保持回路（シフトレジスタ）ＨＣ２１からＨＣ２４、レベルシフト回路ＬＳ２１からＬＳ２４を有する。
【００７４】
論理回路ＬＣ２ａは、制御装置２９０に接続された選択信号線ＳＥＬ、タイミングコントローラ２２１に接続された垂直制御信号線Ｇ＿ＳＴ、及び保持回路２１とを結ぶ信号線に接続している。論理回路ＬＣ２ａは、選択信号線ＳＥＬから入力された選択信号の値と、垂直制御信号線Ｇ＿ＳＴから入力された垂直制御信号の値との論理積を表す値の信号を保持回路ＨＣ２１へ出力する。
【００７５】
保持回路２１は、論理回路ＬＣ２ａから出力された信号の値を、クロック信号線Ｇ＿ＣＫから値「H」の信号が入力されてから、次に値「H」の信号が再度入力されるまで（つまり、所定時間にわたって）保持し、保持する値をレベルシフト回路ＬＳ２１及び保持回路ＨＣ２３へ出力し続ける。
【００７６】
レベルシフト回路ＬＳ２１は、保持回路２１から値「H」の信号を入力されると、走査信号線Ｇ１の電圧レベルを値「L」から「H」へシフトアップする。
【００７７】
保持回路２３は、保持回路２１と同様に、保持回路２１から出力された信号の値を所定時間にわたって保持し、レベルシフト回路ＬＳ２３は、レベルシフト回路ＬＳ２１と同様に、保持回路２３に保持された信号の値に応じて走査信号線Ｇ３の電圧レベルを上下させる。
【００７８】
論理回路ＬＣ２ｂは、選択信号線ＳＥＬ、垂直制御信号線Ｇ＿ＳＴ、及び保持回路２２とを結ぶ信号線とに接続する。論理回路ＬＣ２ｂは、選択信号の論理否定値と、垂直制御信号の値との論理積を表す値の信号を保持回路ＨＣ２２へ出力する。
【００７９】
このため、論理回路ＬＣ２ｂは、論理回路ＬＣ２ａと異なり、値「L」の選択信号が入力される場合に、値「H」の垂直制御信号を入力されると値「H」の信号を出力する（それ以外の場合には値「L」の信号を出力する）。
【００８０】
保持回路２２は、保持回路２１と同様に、論理回路ＬＣ２ｂから出力された信号の値を所定時間にわたって保持し、レベルシフト回路ＬＳ２２は、レベルシフト回路ＬＳ２１と同様に、保持回路２２に保持された信号の値に応じて走査信号線Ｇ２の電圧レベルを上下させる。
保持回路２４は、保持回路２２から出力された信号の値を所定時間にわたって保持し、レベルシフト回路ＬＳ２４は、保持回路２４に保持された信号の値に応じて走査信号線Ｇ４の電圧レベルを上下させる。
【００８１】
次に、図１１（ａ）から（ｇ）を参照して、走査信号出力回路２２２が入出力する信号について説明する。
図１１（ａ）に示すように、時刻ｔ１からｔ６までの表示装置２００がグレアモードである期間（以下、グレア期間という）において、選択信号線ＳＥＬから値「H」の選択信号が走査信号出力回路２２２に入力される。
【００８２】
次に、図１１（ｂ）に示すように、グレア期間に対応する時刻ｔ１からｔ２までの期間において、垂直制御信号線Ｇ＿ＳＴから値「H」の垂直制御信号が入力されると、論理回路ＬＣ２ａは、値「H」の信号を保持回路２１へ出力する。尚、論理回路ＬＣ２ｂは、グレア期間において、値「L」の信号を出力し続ける。
【００８３】
また、図１１（ｃ）に示すように、時刻ｔ１からｔ２において、保持回路２１は、論理回路ＬＣ２ａから値「H」の信号が入力されているが、入力されるクロック信号が値「L」であるため、保持する値を「L」のまま変更せず保持し続ける。次に、時刻ｔ２からｔ３において、保持回路２１は、値「H」のクロック信号が入力されるため、保持する値を「H」へ変更し、かつレベルシフト回路ＬＳ２１へ保持する値「H」の信号を出力する。
【００８４】
このため、図１１（ｄ）に示すように、時刻ｔ２からｔ３において、走査信号線Ｇ１に対して値「H」の信号が出力される。
【００８５】
次に、図１１（ｂ）に示すように、時刻ｔ３からｔ７まで、垂直制御信号線Ｇ＿ＳＴから値「L」の垂直制御信号が入力されると、論理回路ＬＣ２ａは、値「L」の信号を保持回路２１へ出力する。
【００８６】
また、図１１（ｃ）に示すように、時刻ｔ３からｔ４において、保持回路２１は、論理回路ＬＣ２ａから値「L」の信号が入力されるが、入力されたクロック信号が値「L」であるため、保持する値を「H」のまま変更せず保持し続ける。
【００８７】
このため、図１１（ｄ）に示すように、時刻ｔ３からｔ４において、走査信号線Ｇ１に対して値「H」の信号が出力され続ける。尚、時刻ｔ３からｔ４において、走査信号線Ｇ２からＧ４には、値「L」の信号が出力され続ける。
【００８８】
次に、図１１（ｃ）に示すように、時刻ｔ４において、保持回路２１は、値「H」のクロック信号が入力されるため、保持する値を「L」へ変更し、かつレベルシフト回路ＬＳ２１へ保持する値「L」の信号を出力する。
【００８９】
このため、図１１（ｄ）に示すように、時刻ｔ４以降において、走査信号線Ｇ１に対して値「L」の信号が出力される。
【００９０】
同様に、時刻ｔ４からｔ５において、保持回路２３は値「H」の信号を保持するため、走査信号線Ｇ３に対して値「H」の信号が出力される。尚、時刻ｔ４からｔ５において、走査信号線Ｇ１、Ｇ２、及びＧ４には、値「L」の信号が出力され続ける。
【００９１】
次に、図１１（ａ）に示すように、時刻ｔ６からｔ１１までの表示装置２００がアンチグレアモードである期間（以下、アンチグレア期間という）において、選択信号線ＳＥＬから値「L」の選択信号が走査信号出力回路２２２に入力される。
【００９２】
次に、図１１（ｂ）に示すように、アンチグレア期間における時刻ｔ７からｔ９までの期間において、垂直制御信号線Ｇ＿ＳＴから値「H」の垂直制御信号が入力されると、論理回路ＬＣ２ｂは、値「H」の信号を保持回路２２へ出力する。尚、論理回路ＬＣ２ａは、アンチグレア期間において、値「L」の信号を出力し続ける。
【００９３】
その後、図１１（ｅ）に示すように、時刻ｔ８からｔ９において、保持回路２２は、論理回路ＬＣ２ｂから出力された信号の値「H」を保持するため、走査信号線Ｇ２に対して値「H」の信号が出力される。
【００９４】
また、図１１（ｇ）に示すように、時刻ｔ１０からｔ１１において、保持回路２４は、保持回路２２から出力された信号の値「H」を保持するため、走査信号線Ｇ４に対して値「H」の信号が出力される。
【００９５】
これらの構成によれば、選択信号に基づいて走査信号の出力先を走査信号線Ｇ１及びＧ３と走査信号線Ｇ２及びＧ４とに択一的に選択できるため、点灯させる画素行として、グレア領域を構成する画素行とアンチグレア領域を構成する画素行とを択一的に選択できる。
【００９６】
またこれらの構成によれば、選択信号及び垂直制御信号の双方の値が「H」の場合に、論理回路ＬＣ２ａは値「H」の走査信号を走査信号線Ｇ１及びＧ３に順次出力し、選択信号が値「L」かつ垂直制御信号が値「H」の場合に、論理回路ＬＣ２ｂは値「H」の走査信号を走査信号線Ｇ２及びＧ４に出力する。よって、制御装置２９０は、選択信号を「H」又は「L」に変更するだけで、走査信号線Ｇ１及びＧ３に接続されたグレア領域を構成する画素列を点灯させるか、走査信号線Ｇ２及びＧ４に接続されたアンチグレア領域を構成する画素列を点灯させるかを容易に制御できる。
【００９７】
（実施形態２の変形例１）
図１０に示した走査信号出力回路２２２は、２つの論理回路ＬＣ２ａ及びＬＣ２ｂと、４つの保持回路ＨＣ２１からＨＣ２４と、４つのレベルシフト回路ＬＳ２１からＬＳ２４とで構成されるとして説明した。
【００９８】
図１２に示す変形例１に係る走査信号出力回路２２２ｂは、図１０に示す走査信号出力回路２２２の等価回路の一例である。走査信号出力回路２２２ｂは、４つの論理回路ＬＣ２１からＬＣ２４と、２つの保持回路ＨＣ２ａ及びＨＣ２ｂと、４つのレベルシフト回路ＬＳ２１からＬＳ２４とで構成される。
【００９９】
保持回路ＨＣ２ａは、タイミングコントローラ２２１に接続された垂直制御信号線Ｇ＿ＳＴから出力される信号の値を所定時間にわたって保持し、保持する値を所定時間にわたって論理回路ＬＣ２１及びＬＣ２２、並びに保持回路ＨＣ２ｂへ出力する。
【０１００】
論理回路ＬＣ２１は、保持回路ＨＣ２ａから出力される信号の値と、制御装置１９０に接続された選択信号線ＳＥＬから出力される選択信号の値との論理積を表す値の信号をレベルシフト回路ＬＳ２１へ出力する。レベルシフト回路ＬＳ２１は、論理回路ＬＣ２１から出力される信号の値に応じて走査信号線Ｇ１の電圧レベルを上下させる。
【０１０１】
論理回路ＬＣ２２は、保持回路ＨＣ２ａから出力される信号の値と、選択信号の論理否定値との論理積を表す値の信号をレベルシフト回路ＬＳ２２へ出力する。
【０１０２】
このため、論理回路ＬＣ２１は、値「H」の選択信号が入力される場合に、保持回路ＨＣ２ａによって値「H」の信号が入力されると値「H」の信号を出力する。これに対して、論理回路ＬＣ２２は、値「H」の選択信号が入力される場合に、保持回路ＨＣ２ａによって値「H」の信号が入力されると値「L」の信号を出力する。
【０１０３】
逆に、論理回路ＬＣ２１は、値「L」の選択信号が入力される場合に、保持回路ＨＣ２ａによって値「H」の信号が入力されると値「L」の信号を出力するが、論理回路ＬＣ２２は、値「H」の信号を出力する。
【０１０４】
保持回路ＨＣ２ｂは、保持回路ＨＣ２ａから出力される信号の値を所定時間にわたって保持し、保持する値を所定時間にわたって論理回路ＬＣ２３及びＬＣ２４へ出力する。論理回路ＬＣ２３は、論理回路ＬＣ２１と同様に、保持回路ＨＣ２ｂから出力される信号の値と選択信号の値との論理積を表す値の信号をレベルシフト回路ＬＳ２３へ出力する。論理回路ＬＣ２４は、論理回路ＬＣ２２と同様に、保持回路ＨＣ２ｂから出力される信号の値と選択信号の論理否定値との論理積を表す値の信号をレベルシフト回路ＬＳ２４へ出力する。
【０１０５】
よって、走査信号出力回路２２２ｂは、図１０に示した走査信号出力回路２２２と同様に、図１１（ａ）から図１１（ｃ）に示す選択信号、垂直制御信号、及びクロック信号を入力されると、図１１（ｄ）から図１１（ｇ）に示す走査信号を走査信号線Ｇ１からＧ４へそれぞれ出力する。
【０１０６】
これらの構成によれば、図１０に示した走査信号出力回路２２２と比べて、保持回路の数を少なくできるため、表示装置２００の製造コストを削減しかつ軽量化できる。またこれらの構成によれば、走査信号出力回路２２２と同様の機能を実現するための技術が豊富化する。
【０１０７】
（実施形態３）
次に、実施形態３について説明を行う。
本発明の実施形態３に係る表示装置３００は、図１３に示すようなグレア領域とアンチグレア領域とが主走査方向に向かって交互に形成され、かつ副走査方向に向かって連続して形成された光学フィルムで覆われた表示パネル３１０を備える。
【０１０８】
表示装置３００は、図１３に示すような表示パネル３１０、駆動回路３２０、バックライト３７０、照度センサ３８１、操作部３８２、及び制御装置３９０で構成される。尚、本実施形態において、実施形態１と共通する構成についての説明を以下省略する。
【０１０９】
表示パネル３１０は、図１４に示すように、副走査方向に連続して並べられ、かつ同じ表示信号線Ｓ１に接続する画素Ｅ１１からＥ４１で構成される画素列ＣＥ１（Ｒ）、画素列ＣＥ１（Ｒ）と同様の構成を有する画素列ＣＥ２（Ｒ）、ＣＥ３（Ｇ）、ＣＥ４（Ｇ）、及びＣＥ５（Ｂ）、ＣＥ６（Ｂ）を有する。
【０１１０】
画素列ＣＥ１（Ｒ）及び画素列ＣＥ２（Ｒ）を構成する画素は赤のカラーフィルタを有し、画素列ＣＥ３（Ｇ）及び画素列ＣＥ４（Ｇ）を構成する画素は緑のカラーフィルタを有し、画素列ＣＥ５（Ｒ）及び画素列ＣＥ６（Ｒ）を構成する画素は青のカラーフィルタを有する。
【０１１１】
また、画素列ＣＥ１（Ｒ）、画素列ＣＥ３（Ｇ）、及び画素列ＣＥ５（Ｂ）は、グレアモードにおいて点灯する画素であり、画素列ＣＥ２（Ｒ）、画素列ＣＥ４（Ｇ）、及び画素列ＣＥ６（Ｂ）は、アンチグレアモードにおいて点灯する画素である。
【０１１２】
つまり、グレアモードにおいては、画素Ｅ１１、Ｅ１３、及びＥ１５の組み合わせが、１つの色を表す画素としてそれぞれ機能する。尚、画素Ｅ２１、Ｅ２３、及びＥ２５の組み合わせ、画素Ｅ３１、Ｅ３３、及びＥ３５の組み合わせ、並びに画素Ｅ４１、Ｅ４３、及びＥ４５の組み合わせも同様である。また、アンチグレアモードにおいては、画素Ｅ１２、Ｅ１４、及びＥ１６の組み合わせなどが、１つの色を表す画素としてそれぞれ機能する。
【０１１３】
表示パネル３１０を構成する画素Ｅ１１からＥ４６の外側の透明基板は、図１３に示すような光学フィルムで覆われている。本実施形態の光学フィルムの表面が有する奇数番号の領域（つまり、領域Ｒ１１、Ｒ１３、Ｒ１５、Ｒ２１、・・・Ｒ４５）は、それぞれグレア領域であり、偶数番号の領域（つまり、領域Ｒ１２、Ｒ１４、・・・Ｒ４６）は、それぞれアンチグレア領域である。
【０１１４】
また光学フィルムの表面は、グレア領域列ＲＣ１、ＲＣ３、及びＲＣ５、並びにアンチグレア領域列ＲＣ２、ＲＣ４、及びＲＣ６で構成される。尚、グレア領域列ＲＣ１は、グレア領域Ｒ１１、Ｒ２１、Ｒ３１、及びＲ４１が副走査方向に連続して形成され、アンチグレア領域列ＲＣ２は、アンチグレア領域Ｒ１２、Ｒ２２、Ｒ３２、及びＲ４２が副走査方向に連続して形成される。また、グレア領域列ＲＣ３及びＲＣ５並びにアンチグレア領域列ＲＣ４及びＲＣ６は、それぞれグレア領域列ＲＣ１及びアンチグレア領域列ＲＣ２と同様に構成される。
【０１１５】
図１３の駆動回路３２０は、タイミングコントローラ３２１、走査信号出力回路３２２、表示信号出力回路３２３、及び共通信号出力回路３２４で構成される。
【０１１６】
走査信号出力回路３２２は、汎用的な走査信号出力回路であって、タイミングコントローラ３２１から垂直制御信号を入力されると、走査信号線Ｇ１からＧ４に対して順に所定の期間に渡って値「H」の走査信号を出力する。
【０１１７】
表示信号出力回路１２３は、表示装置３００をグレアモードに切り替えるために制御装置３８０から値「H」の選択信号を入力されると、図１５（ｅ）、（ｇ）、及び（ｉ）に示すように、表示信号線Ｓ２（Ｒ）、Ｓ４（Ｇ）、及びＳ６（Ｂ）に対して、図１５（ｃ）に示す共通信号の同相信号（つまり、ＯＦＦデータ）を出力する。
【０１１８】
このため、表示信号線Ｓ２（Ｒ）、Ｓ４（Ｇ）、及びＳ６（Ｂ）に接続する画素列ＣＥ２（Ｒ）、ＣＥ４（Ｇ）、及びＣＥ６（Ｂ）（つまり、偶数列の画素列）には、図４（ａ）及び（ｂ）を参照して説明した画素電極１１５ｌと共通電極１１５ｃとの間において、液晶の配向状態を変化させるのに十分な電圧差が生じない。
【０１１９】
このため、図１５（ａ）に示すように、時刻ｔ１からｔ２において、値「H」の走査信号が走査信号線Ｇ１に出力されても、画素列ＣＥ２（Ｒ）の画素Ｅ１２、画素列ＣＥ４（Ｇ）の画素Ｅ１４、及び画素列ＣＥ６（Ｂ）の画素Ｅ１６は点灯せず、アンチグレア領域列ＲＣ２（Ｒ）の領域Ｒ１２、アンチグレア領域列ＲＣ４（Ｇ）の領域Ｒ１４、及びアンチグレア領域列ＲＣ６（Ｂ）の領域Ｒ１６が点灯しない。
【０１２０】
これに対して、図１５（ｄ）、（ｆ）、及び（ｈ）に示すように、表示信号出力回路３２３は、表示信号線Ｓ１（Ｒ）、Ｓ３（Ｇ）、及びＳ５（Ｂ）に対して、タイミングコントローラ３２１から出力された情報データに従った値の表示信号を出力する。このため、図１５（ａ）に示すように、時刻ｔ１からｔ２において、値「H」の走査信号が走査信号線Ｇ１に出力されると、グレア領域列ＲＣ１（Ｒ）の領域Ｒ１１、グレア領域列ＲＣ３（Ｇ）の領域Ｒ１３、及びグレア領域列ＲＣ５（Ｂ）の領域Ｒ１５が点灯する。
【０１２１】
同様に、図１５（ｂ）に示すように、時刻ｔ２からｔ３において、値「H」の走査信号が走査信号線Ｇ２に入力されても、アンチグレア領域Ｒ２２、Ｒ２４、及びＲ２６が点灯しないが、グレア領域Ｒ２１、Ｒ２３、及びＲ２５が点灯する。
【０１２２】
これらの構成によれば、値「H」の選択信号に基づいて選択された表示信号線Ｓ１（Ｒ）、Ｓ３（Ｇ）、及びＳ５（Ｂ）と異なる表示信号線Ｓ２（Ｒ）、Ｓ４（Ｇ）、及びＳ６（Ｂ）に接続する画素には、共通信号と同じ位相の表示信号が入力される。このため、制御装置３９０は、駆動回路３２０へ値「H」の選択信号を入力するだけで、表示信号線Ｓ２（Ｒ）、Ｓ４（Ｇ）、及びＳ６（Ｂ）に接続するアンチグレア領域を構成する画素を消灯させ、かつ表示信号線Ｓ１（Ｒ）、Ｓ３（Ｇ）、及びＳ５（Ｂ）に接続するグレア領域を構成する画素を点灯させることができる。
【０１２３】
また、表示装置３００をアンチグレアモードに切り替えるために、制御装置３８０から値「L」の選択信号を入力されると、表示信号出力回路１２３は、図１５（ｍ）、（ｏ）、及び（ｑ）に示すように、表示信号線Ｓ１（Ｒ）、Ｓ３（Ｇ）、及びＳ５（Ｂ）に対して、共通信号のＯＦＦデータを出力し、図１５（ｎ）、（ｐ）、及び（ｒ）に示すように、表示信号線Ｓ２（Ｒ）、Ｓ４（Ｇ）、及びＳ６（Ｂ）に対して情報データに従った値の表示信号を出力する。
【０１２４】
このため、図１５（ｊ）に示すように、値「H」の走査信号が走査信号線Ｇ１へ出力される時刻ｔ１からｔ２において、グレア領域Ｒ１１、Ｒ１３、及びＲ１５が点灯しないが、アンチグレア領域Ｒ１２、Ｒ１４、及びＲ１６が点灯する。同様に、図１５（ｋ）に示すように、値「H」の走査信号が走査信号線Ｇ２に出力される時刻ｔ２からｔ３において、グレア領域Ｒ２１、Ｒ２３、及びＲ２５が点灯しないが、アンチグレア領域Ｒ２２、Ｒ２４、及びＲ２６が点灯する。
【０１２５】
これらの構成によれば、値「L」の選択信号に基づいて選択された表示信号線Ｓ２（Ｒ）、Ｓ４（Ｇ）、及びＳ６（Ｂ）と異なる表示信号線Ｓ１（Ｒ）、Ｓ３（Ｇ）、及びＳ５（Ｂ）に接続する画素には、共通信号と同じ位相の表示信号が入力される。このため、制御装置３９０は、駆動回路３２０へ値「L」の選択信号を入力するだけで、表示信号線Ｓ１（Ｒ）、Ｓ３（Ｇ）、及びＳ５（Ｂ）に接続する、グレア領域を構成する画素を消灯させ、かつ表示信号線Ｓ２（Ｒ）、Ｓ４（Ｇ）、及びＳ６（Ｂ）に接続する、アンチグレア領域を構成する画素を点灯させることができる。
【０１２６】
このため、制御装置３９０が同じ情報データを表示信号出力回路３２３へ出力する場合には、グレアモードにおいて点灯する奇数番号のグレア領域列の領域（たとえば、Ｒ１１）が表示する色と、アンチグレアモードにおいて、当該グレア領域よりも主走査方向に１つ進んだ位置にあるアンチグレア領域（たとえば、Ｒ１２）が表示する色とが同色かつ同階調となる。このため、表示装置３００は、グレアモードとアンチグレアモードとで同じ情報データで表される同じ情報を表示パネル３１０のグレア領域とアンチグレア領域に択一的に表示させることができる。
【０１２７】
またこれらの構成によれば、グレア領域とアンチグレア領域とは、副走査方向に連続して配置されて画素列を構成し、かつ同じ画素列を構成する複数の画素は、それぞれ同じ表示信号線から出力される表示信号と共通信号との差異に従って点灯する。このため、表示パネル３１０を駆動させる図１３の駆動回路１２０は、グレア領域を構成する画素列が接続する表示信号線に共通信号の同相信号（つまり、ＯＦＦデータ）を出力するか否か、及びアンチグレア領域を構成する画素行が接続する表示信号線にＯＦＦデータを出力するか否かを切り替えることで、グレアモードとアンチグレアモードとの切り替えを容易に実行できる。
【０１２８】
（実施形態３の変形例１）
本実施形態において、図１３に示すように、表示パネル３１０を構成する光学フィルムの表面に形成されたグレア領域列とアンチグレア領域列とは、主走査方向に向かって１列毎に交互に形成されているとして説明した。しかし、これに限定される訳ではなく、図７（ｂ）に示すように、光学フィルム１１９の表面は、グレア領域列ＲＣ１（Ｒ）、ＲＣ２（Ｇ）、及びＲＣ３（Ｂ）と、アンチグレア領域列ＲＣ４（Ｒ）、ＲＣ５（Ｇ）、及びＲＣ６（Ｂ）と、グレア領域列ＲＣ７（Ｒ）、ＲＣ８（Ｇ）、及びＲＣ９（Ｂ）と、アンチグレア領域列ＲＣ１０（Ｒ）、ＲＣ１１（Ｇ）、及びＲＣ１２（Ｂ）とが形成され、かつこれらのグレア領域列とアンチグレア領域列とは、主走査方向に向かって複数列毎（図７（ｂ）では３列毎）に交互に形成されていても良い。
【０１２９】
この構成によれば、表示パネル３１０を構成する光学フィルムの表面には、グレア領域列とアンチグレア領域列とが主走査方向に向かって３列毎に交互に形成されている。このため、光学フィルムに形成された領域の位置と画素の位置とが主走査方向に最大１列分ずれても、少なくとも２つのグレア領域列（又はアンチグレア領域列）の位置と、グレアモード（又はアンチグレアモード）において点灯する画素列の位置とを一致させることができる。
【０１３０】
（実施形態４）
上記の実施形態１又は２と実施形態３とを組み合わせても良い。つまり、表示装置は、図１６に示すように、主走査方向及び副走査方向に向かって１領域毎に交互にグレア領域とアンチグレア領域とが形成された（つまり、グレア領域とアンチグレア領域とが市松模様状をなすように形成された）表面を有する光学フィルムで覆われた表示パネルを備える構成を採用できる。
【０１３１】
この構成において、表示装置は、同じ情報データに基づいて情報を表示パネルに表示する場合には、グレアモードにおいて点灯する奇数番号のグレア領域（たとえば、Ｒ１１）が表示する色と、当該グレア領域よりも副走査方向に１つ進んだ位置にあるアンチグレア領域（たとえば、Ｒ２１）がアンチグレアモードにおいて表示する色とが同色かつ同階調となる構成であっても良い。また、当該奇数番号のグレア領域（たとえば、Ｒ１１）が表示する色と、当該グレア領域よりも主走査方向に１つ進んだ位置にあるアンチグレア領域（たとえば、Ｒ１２）がアンチグレアモードにおいて表示する色とが同色かつ同階調となる構成であっても良い。
【０１３２】
この構成によれば、主走査方向及び副走査方向の双方に向かって交互にグレア領域とアンチグレア領域が形成されているため、例えば、表示パネル１１０、１２０、及び３２０と比べて、グレアモード又はアンチグレアモードにおける情報の視認性が向上する。
【０１３３】
本発明に係る機能を実現するための構成を予め備えた表示装置として提供できることはもとより、プログラムの適用により、既存の表示装置を本発明に係る表示装置として機能させることもできる。すなわち、上記実施形態で例示した表示装置１００による各機能構成を実現させるための制御プログラムを、既存の表示装置を制御するコンピューター（ＣＰＵなど）が実行できる様に適用することで、本発明に係る表示装置１００として機能させることができる。また、本発明に係る表示パネルの駆動方法は、駆動回路１２０、２２０、及び３２０を用いて実施できる。
【０１３４】
このようなプログラムの配布方法は任意であり、例えば、メモリカード、ＣＤ−ＲＯＭ、又はＤＶＤ−ＲＯＭなどの記録媒体に格納して配布できる他、インターネットなどの通信媒体を介して配布することもできる。
【０１３５】
以上本発明の好ましい実施例について詳述したが、本発明は係る特定の実施例に限定されるものではなく、特許請求の範囲に記載された本発明の要旨の範囲内において、種々の変形、変更が可能である。
【０１３６】
上記の実施形態の一部又は全部は、以下の付記のようにも記載されうるが、以下には限られない。
【０１３７】
（付記１）光の反射率が所定の反射率よりも高い第１画素と、前記第１画素よりも光の反射率が低い第２画素と、を備える、ことを特徴とする表示パネル。
【０１３８】
（付記２）前記第１画素と前記第２画素とは、所定の割合で全域に渡って均一かつ交互に配置されている、ことを特徴とする付記１に記載の表示パネル。
【０１３９】
（付記３）前記第１画素と前記第２画素とは、主走査方向に向かって連続して配置されて画素行を構成し、かつ副走査方向に交互に配置され、同じ画素行を構成する複数の画素は、それぞれ同じ走査信号線から入力される走査信号に従って点灯する、ことを特徴とする付記１又は２に記載の表示パネル。
【０１４０】
（付記４）前記第１画素で構成された第１画素行と、前記第２画素で構成された第２画素行とのいずれを点灯させるかを選択する選択信号と前記走査信号との論理積を表す信号を出力する第１論理回路と、前記選択信号の論理否定と前記走査信号との論理積を表す信号を出力する第２論理回路と、をさらに備え、前記第１画素行は、前記第１論理回路から出力される信号に従って点灯し、前記第２画素行は、前記第２論理回路から出力される信号に従って点灯する、ことを特徴とする付記１から３のいずれか１項に記載の表示パネル。
【０１４１】
（付記５）前記第１画素と前記第２画素とは、副走査方向に向かって連続して配置されて画素列を構成し、かつ主走査方向に交互に配置され、同じ画素列を構成する複数の画素は、それぞれ同じ表示信号線から入力される表示信号の値と、同じ共通信号線から入力される共通信号の値との差異に従って点灯する、ことを特徴とする付記１又は２に記載の表示パネル。
【０１４２】
（付記６）第１信号線に接続する画素と、第２信号線に接続する画素とで構成される表示パネルの駆動回路であって、前記第１信号線と前記第２信号線とのいずれか１方を選択する選択信号に従って、前記第１信号線に接続する画素と前記第２信号線に接続する画素とのいずれか１方を点灯させる制御信号を前記第１信号線と前記第２信号線とへ出力する制御信号出力回路、を備える、ことを特徴とする表示パネルの駆動回路。
【０１４３】
（付記７）前記制御信号は、走査信号であり、前記第１信号線と前記第２信号線とは、走査信号を出力する走査信号線であり、前記制御信号出力回路は、前記選択信号と、走査信号の出力タイミングを制御する垂直制御信号との論理積を表す信号を出力する第１論理回路と、前記第１論理回路から出力された信号を、走査信号として前記第１信号線へ所定時間に渡って出力し続ける第１保持回路と、前記入力された選択信号の論理否定と、前記垂直制御信号との論理積を表す信号を出力する第２論理回路と、前記第２論理回路から出力された信号を、走査信号として前記第２信号線へ前記所定時間に渡って出力し続ける第２保持回路と、を有する、ことを特徴とする付記６に記載の表示パネルの駆動回路。
【０１４４】
（付記８）前記制御信号は、走査信号であり、前記第１信号線と前記第２信号線とは、走査信号を出力する走査信号線であり、前記制御信号出力回路は、走査信号の出力タイミングを制御する垂直制御信号を、所定時間に渡って出力し続ける保持回路と、前記選択信号と、前記保持回路から出力された垂直制御信号との論理積を表す信号を走査信号として前記第１信号線へ出力する第１論理回路と、前記入力された選択信号の論理否定と、前記保持回路から出力された垂直制御信号との論理積を表す信号を走査信号として前記第２信号線へ出力する第２論理回路と、を有する、ことを特徴とする付記６に記載の表示パネルの駆動回路
【０１４５】
（付記９）前記制御信号は、表示信号であり、前記第１信号線と前記第２信号線とは、表示信号を出力する表示信号線であり、前記第１信号線に接続する画素と、前記第２信号線に接続する画素とは、それぞれ共通の信号線に対してさらに接続し、前記共通の信号線に対して共通信号を出力する共通信号出力回路を、さらに備え、前記制御信号出力回路は、前記選択信号で選択された信号線と異なる信号線に対して、前記共通信号の同相信号を出力する、ことを特徴とする付記６に記載の表示パネルの駆動回路。
【０１４６】
（付記１０）第１信号線に接続する画素と、第２信号線に接続する画素とで構成される表示パネルの駆動方法であって、前記第１信号線と前記第２信号線とのいずれか１方を選択する選択信号に従って、前記第１信号線に接続する画素と前記第２信号線に接続する画素とのいずれか１方を点灯させる制御信号を前記第１信号線と前記第２信号線とへ出力する制御信号出力ステップ、を有する、ことを特徴とする表示パネルの駆動方法。
【０１４７】
（付記１１）光の反射率が所定の反射率よりも高い第１画素と、前記第１画素よりも光の反射率が低い第２画素とで構成される表示パネルと、前記表示パネルの画素を点灯させる駆動回路と、前記駆動回路の駆動を制御する制御装置と、を備える表示装置であって、前記制御装置は、前記第１画素と、前記第２画素とのいずれを点灯させるかを選択し、選択した画素を点灯させるように前記駆動回路を制御する、ことを特徴とする表示装置。
【０１４８】
（付記１２）前記表示パネルに照射される光の照度を検出する照度センサを、さらに備え、前記制御装置は、前記照度センサが検出した光の照度が所定の照度よりも高い場合に、前記第１画素よりも光の反射率が低い前記第２画素を点灯させるように前記駆動回路を制御し、前記照度センサが検出した照度が前記所定の照度よりも低い場合に、前記第２画素よりも光の反射率が高い前記第１画素を点灯させるように前記駆動回路を制御する、ことを特徴とする付記１１に記載の表示装置。
【０１４９】
（付記１３）前記第１画素を点灯させる第１モードと、前記第２画素を点灯させる第２モードとのいずれか１方に切り替える操作に応じた操作信号を入力する操作部を、さらに備え、前記制御装置は、前記操作部によって入力された切替信号に従って画素を点灯させるように前記駆動回路を制御する、ことを特徴とする付記１１に記載の表示装置。
【符号の説明】
【０１５０】
１００・・・表示装置、１１０・・・表示パネル、１１１・・・シール材、１１２及１１３・・・透明基板、１１４・・・内部空間、１１５ｃ・・・共通電力、１１５ｌ・・・画素電極、１１６ｇ・・・ゲート電極、１１６ｌ・・・ドレイン電極、１１６ｓ・・・ソース電極、１１６・・・ＴＦＴ、１１７・・・カラーフィルタ、１１８・・・透明板、１１９・・・光学フィルム、１１０、２１０、及び３１０・・・表示パネル、１２０、２２０、及び３２０・・・駆動回路、１２１、２２１、及び３２１・・・タイミングコントローラ、１２２、２２２、及び３２２・・・走査信号出力回路、１２３、２２３、及び３２３・・・表示信号出力回路、１２４、２２４、及び３２４・・・共通信号出力回路、１７０、２７０、及び３７０・・・バックライト、１８１、２８１、及び３８１・・・照度センサ、１８２、２８２、及び３８２・・・操作部、１９０、２９０、及び３９０・・・制御装置、１９１・・・信号取得部、１９２・・・切替判定部、１９３・・・表示切替制御部
【図１】
0005477909.tif 000002
【図２】
0005477909.tif 000003
【図３】
0005477909.tif 000004
【図４】
0005477909.tif 000005
【図５】
0005477909.tif 000006
【図６】
0005477909.tif 000007
【図７】
0005477909.tif 000008
【図８】
0005477909.tif 000009
【図９】
0005477909.tif 000010
【図１０】
0005477909.tif 000011
【図１１】
0005477909.tif 000012
【図１２】
0005477909.tif 000013
【図１３】
0005477909.tif 000014
【図１４】
0005477909.tif 000015
【図１５】
0005477909.tif 000016
【図１６】
0005477909.tif 000017